(57)【要約】
【課題】    コンクリートブロックの位置合わせを容易にしてコンクリートブロックの積み上げの作業効率を高めるとともに、縦横の目地を無くして積み上げ施工後の美観を向上し、また、縦筋作業の合理化と施工後の強度を向上することを可能としたコンクリートブロックを提供する。
【解決手段】直方体形状の内部に複数の貫通孔が上辺部及び下辺部に対して垂直に設けられたコンクリートブロックにおいて、上辺部１１と一側辺部１３の中央部分に長手方向に延びる凹溝を形成し、コンクリートブロックの積み上げ時に隣接する上辺部１１と一側辺部１３と接合する下辺部１２と他側辺部１４の中央部分に上辺部１１と一側辺部１３に形成された凹溝の断面と嵌合する形状の凸片１２ａ、１２ｂ、１２ｃ、１４ａを形成した。また、貫通孔の垂直中心軸が上辺部１１及び下辺部１２の中心と両側辺部１３、１４の両端との間の中間位置に在るように一対の貫通孔を設けた。
【選択図】  図１
0003101251.tif 000002
【実用新案登録請求の範囲】
【請求項１】
直方体形状の内部に複数の貫通孔が上辺部及び下辺部に対して垂直に設けられたコンクリートブロックにおいて、上辺部と一側辺部の中央部分に長手方向に延びる凹溝を形成し、コンクリートブロックの積み上げ時に隣接する前記上辺部と前記一側辺部と接合する下辺部と他側辺部の中央部分に前記上辺部と前記一側辺部に形成された前記凹溝の断面と嵌合する形状の凸片を形成したことを特徴とするコンクリートブロック。
【請求項２】
前記貫通孔の垂直中心軸が前記上辺部及び下辺部の中心と両側辺部の両端との間の中間位置に在るように一対の貫通孔を設けたことを特徴とする請求項１に記載のコンクリートブロック。
【請求項３】
請求項１又は請求項２に記載のコンクリートブロックの正面壁及び背面壁の外周縁部に面取りを形成したことを特徴とするコンクリートブロック。
【請求項４】
請求項１乃至請求項３に記載のコンクリートブロックを前記上辺部及び下辺部の中心位置で垂直方向に２分割してブロック片を形成したことを特徴とするコンクリートブロック。
【考案の詳細な説明】
【技術分野】
【０００１】
本考案は、コンクリートブロックに関し、特にコンクリートブロックの積み上げの作業効率を高めるとともに、積み上げ施工後の美観及び強度を向上するコンクリートブロックに関する。
【背景技術】
【０００２】
建物の壁材として一般的に使用されるコンクリートブロックは、直方体形状の内部に断面が四角形、円形又は楕円形などの複数の貫通孔が上辺部及び下辺部に対して垂直に設けられている。従来のコンクリートブロックを積み上げ施工する場合、隣接するコンクリートブロック間の縦横境界の部分にセメント・砂・水の混合であるグラウト材を塗着して縦横目地部が形成され、コンクリートブロックの上辺に沿って張架された水糸にコンクリートブロックの上辺の位置を合わせながら積み上げ作業を行う必要がある。
【０００３】
したがって、従来のコンクリートブロックでは、前述したコンクリートブロック間の縦横の目地部分が外観上目立ってしまうので美観を損ねてしまうという問題があった。また、コンクリートブロックの積み上げ作業は、水糸にコンクリートブロックの上辺の位置を合わせながら行われるので、作業工程が煩わしく熟練を要するという問題があった。
【０００４】
上記問題を解決するために、以下に示す実用新案登録出願「コンクリートブロック」が存在する（特許文献１参照）。この考案は、コンクリートブロックの両側面に工夫を加えて隣接コンクリートブロックとの縦目地幅を充分に小さくして美観を向上させるとともに、グラウト材が表面にはみ出さないようにし、さらに該目地部から雨水等の浸入を防止し、また縦筋作業工程の合理化を可能としたコンクリートブロックを提供することを目的とし、請求項１に記載の考案は、「コンクリートブロックの両側面部の隣接コンクリートブロックとグラウト材を介して接着される平面の一部に、側面の長手方向と平行に形成された断面が少なくとも一個以上の角部を有する柱状突起と、前記柱状突起の断面と嵌合する形状の溝とを有することを特徴とするコンクリートブロック」であり、請求項２に記載の考案は、「前記コンクリートブロックの両側面部に設けた前記柱状突起と前記溝が、貫通孔と平行な垂直中心軸に対して回転対称な位置に在ることを特徴とする請求項１に記載のコンクリートブロック」である。
【０００５】
上記の請求項１又は請求項２に記載の考案によれば、確かに、コンクリートブロック間の縦目地幅を目立たない程度に狭くでき、コンクリートブロックの積み上げ作業時の横方向の位置合わせが容易になるものと考えられる。
【０００６】
しかしながら、この考案では、コンクリートブロック間の縦目地幅を目立たない程度に狭くできても、横目地は従来と同様に存在するため、目地部分が外観上目立ち美観を損ねるという従来の問題を完全に解決できたとはいえない。また、コンクリートブロックを縦に積み上げる作業は従来と同様であることから、コンクリートブロックの上辺の位置を合わせることが必要であり、依然として作業工程が煩わしく熟練を要するという問題が残っている。
【０００７】
【特許文献１】実開平６−３５４２０号公報
【考案の開示】
【考案が解決しようとする課題】
【０００８】
そこで、本考案は、このような問題を解決するためになされたものであり、コンクリートブロックの位置合わせを容易にしてコンクリートブロックの積み上げの作業効率を高めるとともに、縦横の目地を無くして積み上げ施工後の美観を向上し、また、縦筋作業の合理化と施工後の強度を向上することを可能としたコンクリートブロックを提供することを目的とする。
【課題を解決するための手段】
【０００９】
上記課題を解決するために、請求項１に記載の考案は、直方体形状の内部に複数の貫通孔が上辺部及び下辺部に対して垂直に設けられたコンクリートブロックにおいて、上辺部と一側辺部の中央部分に長手方向に延びる凹溝を形成し、コンクリートブロックの積み上げ時に隣接する前記上辺部と前記一側辺部と接合する下辺部と他側辺部の中央部分に前記上辺部と前記一側辺部に形成された前記凹溝の断面と嵌合する形状の凸片を形成した構成を採用したのである。
【００１０】
これにより、コンクリートブロックの積み上げ作業において、コンクリートブロックに形成された凹溝と、隣接するコンクリートブロックに形成された凸片とが嵌合するので、コンクリートブロックの位置合わせが容易になる。また、コンクリートブロックの各辺部が接合するので、縦横の目地が無くなる。
【００１１】
また、請求項２に記載の考案は、請求項１に記載の前記貫通孔の垂直中心軸が前記上辺部及び下辺部の中心と両側辺部の両端との間の中間位置に在るように一対の貫通孔を設けたことを特徴とする。
【００１２】
これにより、コンクリートブロックの積み上げ作業において、上下に隣接するコンクリートブロックに設けられた一対の貫通孔を上下間においてその配置が同じもの又は異なるものを対向させることにより、コンクリートブロックの位置合わせが更に容易になる。また、貫通孔が上下に連通孔となるので、最上段まで積み上げた後、各連通孔に縦筋を挿入してグラウト材を注入することができる。
【００１３】
また、請求項３に記載の考案は、請求項１又は請求項２に記載のコンクリートブロックの正面壁及び背面壁の外周縁部に面取りを形成したことを特徴とする。
【００１４】
これにより、コンクリートブロックの各辺部の接合部の外観が美しく仕上がる。
【００１５】
また、請求項４に記載の考案は、請求項１乃至請求項３に記載のコンクリートブロックを前記上辺部及び下辺部の中心位置で垂直方向に２分割してブロック片を形成したことを特徴とする。
【００１６】
これにより、コンクリートブロックの積み上げ作業において、上下に隣接するコンクリートブロックに設けられた一対の貫通孔を上下間においてその配置が異なるものを対向させた場合、２分割されたブロック片により両サイドの調整が可能となる。
【考案の効果】
【００１７】
以上のように、請求項１にかかる考案によれば、上辺部と一側辺部の中央部分に長手方向に延びる凹溝を形成し、コンクリートブロックの積み上げ時に隣接する上辺部と一側辺部と接合する下辺部と他側辺部の中央部分に上辺部と一側辺部に形成された凹溝の断面と嵌合する形状の凸片を形成した構成を採用したため、従来のコンクリートブロックと比較してコンクリートブロックの位置合わせが容易になり、作業工程が煩わしく熟練を要するという従来の問題を解決することができる。
【００１８】
また、コンクリートブロックの各辺部が接合して縦横の目地が無くなることから、目地部分が外観上目立ち美観を損ねるという従来の問題を解決することができる。
【００１９】
また、請求項２にかかる考案によれば、貫通孔の垂直中心軸が前記上辺部及び下辺部の中心と両側辺部の両端との間の中間位置に在るように一対の貫通孔を設けた構成を採用したため、コンクリートブロックの位置合わせが更に容易になり、コンクリートブロックの積み上げの作業効率を高めることができる。
【００２０】
また、貫通孔が上下に連通孔となるので、最上段まで積み上げた後、各連通孔に縦筋を挿入してグラウト材を注入することができることから、縦筋作業の合理化と施工後の強度を向上することができる。
【００２１】
また、請求項３にかかる考案によれば、コンクリートブロックの正面壁及び背面壁の外周縁部に面取りを形成した構成を採用したため、コンクリートブロックの各辺部の接合部の外観が美しく仕上がり、積み上げ施工後の美観を向上することができる。
【００２２】
また、請求項４にかかる考案によれば、コンクリートブロックを前記上辺部及び下辺部の中心位置で垂直方向に２分割してブロック片を形成した構成を採用したため、２分割されたブロック片により両サイドの調整が可能となり、バリエーションに富んだ建物の壁材用としての利用価値が高まる。
【考案を実施するための最良の形態】
【００２３】
以下、本考案の実施の一形態について、図面を参酌しながら説明する。
【実施例１】
【００２４】
図１は、本考案に係るコンクリートブロックの一例を示す正面図である。また、図２は右側面図、図３は平面図である。
【００２５】
図１乃至図３に示すように、コンクリートブロック１０は、上辺部１１と一側辺部１３の中央部分に長手方向に延びる凹溝１１ａ、１３ａが形成され、下辺部１２と他側辺部１４の中央部分に上辺部１１と一側辺部１３に形成された凹溝１１ａ、１３ａの断面と嵌合する形状の凸片１２ａ、１２ｂ、１２ｃ、１４ａが形成されていることを特徴とし、コンクリートブロック１０の積み上げ時に、隣接するコンクリートブロック１０の上辺部１１と下辺部１２及び一側辺部１３と他側辺部１４がそれぞれ接合する。
【００２６】
また、コンクリートブロック１０は、図１及び図３に示すように、一対の貫通孔１５ａ、１５ｂが上辺部１１及び下辺部１２に対して垂直に設けられ、貫通孔１５ａ、１５ｂの垂直中心軸は上辺部１１及び下辺部１２の中心と両側辺部１３、１４の両端との間の中間位置に在るように設けられている。
【００２７】
コンクリートブロック１０は、成形時に凹溝１１ａ、１３ａと凸片１２ａ、１２ｂ、１２ｃ、１４ａと貫通孔１５ａ、１５ｂの形状を施した型枠を用いて、セメント・砂・水・混和剤を適当な割合で調合し練り混ぜたものを前記型枠に流し込み製造するので、従来のコンクリートブロックの製造方法と同様に製造することができる。
【００２８】
図４及び図５は、上記コンクリートブロックを上辺部１１及び下辺部１２の中心位置で垂直方向に２分割したブロック片（左）及びブロック片（右）の正面図である。
【００２９】
ブロック片（左）２０は、上辺部２１と一側辺部２３の中央部分に長手方向に延びる凹溝が形成され、下辺部２２の中央部分にコンクリートブロック１０の上辺部１１に形成された凹溝１１ａの断面と嵌合する形状の凸片２２ａ、２２ｂが形成されていることを特徴とする。また、ブロック片（右）３０は、上辺部３１の中央部分に長手方向に延びる凹溝が形成され、下辺部２２の中央部分にコンクリートブロック１０の上辺部１１に形成された凹溝１１ａの断面と嵌合する形状の凸片３２ａ、３２ｂが形成されていることを特徴とする。
【００３０】
次に、コンクリートブロック１０を用いた積み上げ施工作業について説明する。
【００３１】
コンクリートブロック１０は、隣接するコンクリートブロック１０同士が有する凹溝１１ａ、１３ａと凸片１２ａ、１２ｂ、１２ｃ、１４ａが嵌合するので、縦方向及び横方向の並び合わせが容易であり、従来必要としていた水糸が不要となる。さらに、縦に積み上げる作業についても、上下段の間にグラウト材を塗り重ねる作業が不要となる。
【００３２】
また、一対の貫通孔１５ａ、１５ｂの垂直中心軸が上辺部及１１び下辺部１２の中心と両側辺部１３、１４の両端との間の中間位置に在るように設けておくことにより、コンクリートブロック１０の積み上げ作業において、上下に隣接するコンクリートブロック１０に設けられた一対の貫通孔１５ａ、１５ｂを上下間においてその配置が同じもの又は異なるものを対向させることにより、コンクリートブロックの位置合わせが更に容易になる。また、対向する貫通孔１５ａ、１５ｂによって上下に連通孔が形成される。
【００３３】
図６は、上下に隣接するコンクリートブロック１０に設けられた一対の貫通孔１５ａ、１５ｂを上下間においてその配置が異なるものを対向させて積み上げ施工した状態を示す正面図である。また、図７は、隣接するコンクリートブロックの嵌合状態を示す平面図である。
【００３４】
図６に示すように、コンクリートブロック１０、ブロック片（左）２０、ブロック片（右）３０を用いて積み上げ作業が終了後、各連通孔に縦筋を挿入してグラウト材を一気に注入することにより、縦筋作業の合理化と施工後の強度を向上することができる（図７参照）。
【実施例２】
【００３５】
図８は、本考案に係るコンクリートブロックの他の例を示す右側面図である。また、図９は平面図、図１０は積み上げ施工後の接合部分を示す正面図である。
【００３６】
図８及び図９に示すように、コンクリートブロック１０は、上辺部１１と一側辺部１３の中央部分に長手方向に延びる凹溝１１ａ、１３ａが形成され、下辺部１２と他側辺部１４の中央部分に上辺部１１と一側辺部１３に形成された凹溝１１ａ、１３ａの断面と嵌合する形状の凸片１２ａ、１２ｂ、１２ｃ、１４ａが形成されており、また、一対の貫通孔１５ａ、１５ｂが上辺部１１及び下辺部１２に対して垂直に設けられ、貫通孔１５ａ、１５ｂの垂直中心軸は上辺部１１及び下辺部１２の中心と両側辺部１３、１４の両端との間の中間位置に在るように設けられている点で実施例１と共通するが、実施例２では、特にコンクリートブロック１０の正面壁及び背面壁の外周縁部に面取り１６を形成したことを特徴とする。
【００３７】
これにより、図１０に示すように、コンクリートブロックの各辺部の接合部の外観が美しく仕上がり、積み上げ施工後の美観を向上することができる。
【図面の簡単な説明】
【００３８】
【図１】実施例１に示すコンクリートブロックの正面図である。
【図２】上記コンクリートブロックの右側面図である。
【図３】上記コンクリートブロックの平面図である。
【図４】上記コンクリートブロックを２分割したブロック片（左）の正面図である。
【図５】上記コンクリートブロックを２分割したブロック片（右）の正面図である。
【図６】積み上げ施工後の状態を示す正面図である。
【図７】隣接するコンクリートブロックの嵌合状態を示す平面図である。
【図８】実施例２に示すコンクリートブロックの右側面図である。
【図９】上記コンクリートブロックの平面図である。
【図１０】積み上げ施工後の接合部分を示す正面図である。
【符号の説明】
【００３９】
１０  コンクリートブロック
１１  上辺部
１１ａ  凹溝
１２  下辺部
１２ａ、１２ｂ、１２ｃ  凸片
１３  一側辺部
１３ａ  凹溝
１４  他側辺部
１４ａ  凸片
１５ａ、１５ｂ  貫通孔
１６  面取り
２０  ブロック片（左）
２１  上辺部
２２  下辺部
２２ａ、２２ｂ  凸片
２３  一側辺部
２４  他側辺部
３０  ブロック片（右）
３１  上辺部
３２  下辺部
３２ａ、３２ｂ  凸片
３３  一側辺部
３４  他側辺部
３４ａ  凸片
４０  縦筋
４１  グラウト材
【図１】
0003101251.tif 000003
【図２】
0003101251.tif 000004
【図３】
0003101251.tif 000005
【図４】
0003101251.tif 000006
【図５】
0003101251.tif 000007
【図６】
0003101251.tif 000008
【図７】
0003101251.tif 000009
【図８】
0003101251.tif 000010
【図９】
0003101251.tif 000011
【図１０】
0003101251.tif 000012